(57)【要約】【課題】折りたたみ構造など、使用時に開閉動作などの予備動作が必要で、複数の機能を有する情報端末は、使用者が所望の機能を使用可能な状態になるまでに、開閉などの動作とメニュー起動のためのキー入力といった複数の操作が必要であり、使い勝手に問題があった。【解決手段】複数の筐体が連結部を介して相互に回転あるいはスライドする構造の情報端末装置において、複数の筐体の回転あるいはスライドする方向や、回転あるいはスライド後の静止位置を検知する検知手段を有し、前記検知手段によって検知された検知結果に基づいて起動する機能を選択し、かつ起動する。【選択図】図１
2007274014.tif 000002
【特許請求の範囲】
【請求項１】
複数の筐体が連結部を介して相対位置を変更可能な構造で、複数の機能を有する情報端末装置であって、相対位置変更動作を検知する検知部を有し、前記検知部の検知した相対位置変更動作に応じて、前記複数の機能のいずれかを選択し起動することを特徴とする情報端末装置。
【請求項２】
複数の筐体を連結する連結部の少なくとも１つが複数の方向に回動またはスライド可能な構造で、検知部は回動、スライド方向を検知し、前記検知部の検知した回動、スライド方向に応じて、複数の機能のいずれかを選択し起動することを特徴とする情報端末装置。
【請求項３】
複数の筐体を連結する連結部の少なくとも１つが回動またはスライド可能な構造で、検知部は回動、スライド後の静止位置を検知し、前記検知部の検知した静止位置に応じて、複数の機能のいずれかを選択し起動することを特徴とする情報端末装置。
【請求項４】
複数の筐体を連結する連結部の少なくとも１つが複数の方向に回動またはスライド可能な構造で、検知部は回動、スライドの方向または回動、スライド後の静止位置の少なくとも１つを検知し、前記検知部の検知した回動、スライド方向または静止位置のいずれかまたはその組み合わせに応じて、複数の機能のいずれかを選択し起動することを特徴とする情報端末装置。
【請求項５】
複数の筐体を連結する連結部の少なくとも１つが他段階にスライド可能な構造で、検知部はスライドした段階数を検知し、前記検知部の検知したスライド段階数に応じて、
複数の機能のいずれかを選択し起動することを特徴とする情報端末装置。
【請求項６】
複数の筐体を連結する連結部の少なくとも１つが複数軸からなり回動またはスライド可能かつ開閉可能な構造で、検知部は回動またはスライド方向、回動またはスライドおよび開閉後の静止位置の少なくとも１つを検知し、前記検知部の検知した回動、スライド方向または回動および開閉後の静止位置のいずれか又はその組み合わせに応じて、複数の機能のいずれかを選択し起動することを特徴とする情報端末装置。
【請求項７】
前記静止位置がねじれ位置であることを特徴とする請求項３、４、６のいずれか１項に記載の情報端末装置。
【請求項８】
複数の筐体を連結する連結部の少なくとも１つが開閉または回動またはスライド可能で、
開閉または回動またはスライドのためのスイッチを複数有する構造で、検知部は前記スイッチのいずれが押されたかを検知し、前記検知部の検知したスイッチに応じて、
複数の機能のいずれかを選択し起動することを特徴とする情報端末装置。
【請求項９】
複数の筐体のうち、いずれか１つに表示部を持つことを特徴とする請求項１から８に記載の情報端末装置。
【請求項１０】
複数の筐体のうち、いずれか１つに操作キーをもつことを特徴とする請求項１から８に記載の情報端末処置。
【請求項１１】
複数の筐体のうち、いずれか１つにカメラ部をもつことを特徴とする請求項１から８に記載の情報端末処置。
【請求項１２】
複数の筐体のうち、いずれか１つに表示部を持ち、いずれか１つが前記表示部を覆うカバーであることを特徴とする請求項１から８に記載の情報端末装置。
【請求項１３】
複数の筐体のうち、いずれか１つにカメラ部を持ち、いずれか１つが前記カメラ部のレンズを覆うカバーであることを特徴とする請求項１から８に記載の情報端末装置。
【請求項１４】
表示部を有する表示筐体と、操作キーを有する操作筐体とが結合部を介して回動可能で、複数機能を有する情報端末装置であって、回動方向を検知する検知部を有し、
前記表示筐体が前記操作筐体に対し左方向に回動したと前記検知部が検知した場合には、前記複数機能のうちの少なくとも１つの機能を起動し、前記表示筐体が前記操作筐体に対し右方向に回動したと前記検知部が検知した場合には、左方向に回動させた場合に起動する機能の少なくとも１つが異なる機能を起動させることを特徴とする情報端末装置。
【請求項１５】
表示部を有する表示筐体と、前記表示部を覆うカバー筐体が結合部を介して複数方向にスライド可能で、複数機能を有する情報端末装置であって、前記カバー筐体のスライド方向を検知する検知部を有し、前記検知部が検知したスライドの方向に応じて前記複数機能のいずれかを選択し起動することを特徴とする情報端末装置。
【請求項１６】
表示部を有する表示筐体と、前記表示部を覆うカバー筐体が結合部を介して左右方向にスライド可能で、複数機能を有する情報端末装置であって、前記カバー筐体のスライド方向を検知する検知部を有し、前記カバー筐体が左方向にスライドしたと前記検知部が検知した場合には、前記複数機能のうちの少なくとも１つの機能を起動し、前記カバー筐体が右方向にスライドしたと前記検知部が検知した場合には、左方向にスライドさせた場合に起動する機能の少なくとも１つが異なる機能を起動させることを特徴とする情報端末装置。
【請求項１７】
表示部を有する表示筐体と、前記表示部を覆うカバー筐体が結合部を介して上下方向にスライド可能で、複数機能を有する情報端末装置であって、前記カバー筐体のスライド方向を検知する検知部を有し、前記カバー筐体が上方向にスライドしたと前記検知部が検知した場合には、前記複数機能のうちの少なくとも１つの機能を起動し、前記カバー筐体が下方向にスライドしたと前記検知部が検知した場合には、上方向にスライドさせた場合に起動する機能の少なくとも１つが異なる機能を起動させることを特徴とする情報端末装置。
【請求項１８】
カメラ部を有するカメラ筐体と、前記カメラ部のレンズを覆うカバー筐体が結合部を介して複数方向にスライド可能で、複数機能を有する情報端末装置であって、前記カバー筐体のスライド方向を検知する検知部を有し、前記検知部が検知したスライドの方向に応じて前記複数機能のいずれかを選択し起動することを特徴とする情報端末装置。
【請求項１９】
カメラ部を有するカメラ筐体と、前記カメラ部のレンズを覆うカバー筐体が結合部を介して左右方向にスライド可能で、複数機能を有する情報端末装置であって、前記カバー筐体のスライド方向を検知する検知部を有し、前記カバー筐体が左方向にスライドしたと前記検知部が検知した場合には、前記複数機能のうちの少なくとも１つの機能を起動し、前記カバー筐体が右方向にスライドしたと前記検知部が検知した場合には、左方向にスライドさせた場合に起動する機能の少なくとも１つが異なる機能を起動させることを特徴とする情報端末装置。
【請求項２０】
カメラ部を有するカメラ筐体と、前記カメラ部のレンズを覆うカバー筐体が結合部を介して上下方向にスライド可能で、複数機能を有する情報端末装置であって、前記カバー筐体のスライド方向を検知する検知部を有し、前記カバー筐体が上方向にスライドしたと前記検知部が検知した場合には、前記複数機能のうちの少なくとも１つの機能を起動し、前記カバー筐体が下方向にスライドしたと前記検知部が検知した場合には、上方向にスライドさせた場合に起動する機能の少なくとも１つが異なる機能を起動させることを特徴とする情報端末装置。
【請求項２１】
前記検知部で検知した動作に応じて、前記複数のうちのどの機能を起動するかの設定を書き換え記憶可能な記憶部を有し、設定を変更可能とすることを特徴とする請求項１から２０のいずれか１項に記載の情報端末装置。
【発明の詳細な説明】
【技術分野】
【０００１】
本発明は液晶などの表示画面を有する情報端末装置に関するものである。
【背景技術】
【０００２】
従来より、携帯電話機の構造として、ストレートタイプ、折りたたみタイプなどがあり、現在折りたたみタイプの携帯電話は液晶面の保護やコンパクトなことから広く普及している。近年は、特許文献１、特許文献２、特許文献３、特許文献４などのような、上側と下側に分かれた２つのユニットが開閉及び回転自在に結合された新たな構造の携帯情報端末も提案されており、携帯電話機だけでなく携帯ＡＶ端末等でも様々な構造の商品が増加してきている。
【０００３】
一方、近年携帯電話をはじめ情報端末は多機能化してきており、１つの端末で通信機能、メール機能、ブラウザ機能、カメラ機能、ＴＶ電話機能、ＴＶ受信機能などが利用可能となったため、複数の情報端末を持ち歩く必要がなくなり利便性が高まった。
【０００４】
然しながら、多機能化により、所望の機能を起動する際に、メニュー選択や機能起動や機能切り替えといったキー入力が必要となり、さらに携帯電話などでは入力キーの数に限りがあるため、１つのキーに複数の機能が対応付けされるなど、使い勝手が低下してきている。また、折りたたみタイプの構造は、メニュー選択や機能起動のためのキー入力を行う前に開閉動作が必要となるという問題がある。
【０００５】
そこで、現在の携帯電話では、電話着信時に開閉した場合には電話機能が起動し、メール着信有り時にはメール機能が起動する仕組みがある。しかし、この仕組みでは着信などのきっかけがないようなカメラ機能などを起動することができず、またメール着信有り時に、使用者が必ずメール機能の起動を所望しているとは限らず、必ずしも便利とはいえない。
【０００６】
また、特許文献５のように端末の方向を検知して電話機能と情報端末機能を切り替える携帯情報端末装置が提案されているが、方向を検知するためのセンサが必要なためコストアップが発生し、使用中に方向が安定しないあるいは寝転がっての使用時など誤認識するなどの問題が考えられる。
【特許文献１】特開平１１−３０２２６号公報
【特許文献２】特開平１１−２１５２１８号公報
【特許文献３】特開２００３−２４４２９３号公報
【特許文献４】特開２００３−６９６７６号公報
【特許文献５】特開平１１−３１７７９６号公報
【発明の開示】
【発明が解決しようとする課題】
【０００７】
折りたたみ構造など、使用時に開閉動作などの予備動作が必要で、複数の機能を有する情報端末は、使用者が所望の機能を使用可能な状態になるまでに、開閉などの動作とメニュー起動のためのキー入力といった複数の操作が必要であり、使い勝手に問題があった。
【０００８】
本発明は、前記従来の課題を解決するもので、少ない操作で所望の機能を使用可能な状態にすることができる情報処理端末を提供することを目的とする。
【課題を解決するための手段】
【０００９】
前記従来の課題を解決するために、本発明の情報端末装置は、複数の筐体が結合部を介して相互に回転あるいはスライドする構造の情報端末装置において、複数の筐体の回転あるいはスライドする方向や、回転あるいはスライド後の静止位置を検知する検知手段を有し、前記検知手段によって検知された検知結果に基づいて起動する機能を選択し、かつ起動する。
【発明の効果】
【００１０】
本発明の情報端末装置によれば、検知手段を設けて開閉動作時の回転あるいはスライドの方向や、開閉動作後の静止位置を検知し、その検知結果に応じて起動する機能を切り替えることで、所望の機能を起動する際の操作を省略することができ、利便性を向上させることができる。
【発明を実施するための最良の形態】
【００１１】
以下本発明の実施の形態について、図面を参照しながら説明する。
【００１２】
（実施の形態１）
図１は、本発明の実施の形態１における情報端末装置の概観図である。
【００１３】
図１における情報端末装置は、筐体１０１と筐体１０２の二つからなり、連結部１０３を介して左右に回動可能になっており、回動の方向を検知する検知部（図示せず）を内蔵している。
【００１４】
回動の方向を検知する検知部は例えば図２のように構成することができる。回動の軸に固定された電極１０４と、軸と共に回動しない筐体に固定された２つの電極１０５、電極１０６からなり、左方向に回動した場合は電極１０４が電極１０５に先に接触し電極１０５の方に電流が流れ、一方右方向に回動した場合には電極１０４が電極１０６に先に接触し電極１０６の方に電流が流れる。電極１０５あるいは電極１０６のいずれに電流が流れたかにより筐体１０１が筐体１０２に対し左方向に回動したか右方向に回動したかを検知することができる。
【００１５】
このようにして検知した回動の方向に応じて、左方向に回動した場合には情報端末装置のもつ複数機能のうちの機能Ａを、右方向に回動した場合には機能Ｂを起動する。例えば機能Ａがメール機能、機能Ｂがブラウザ機能であり、左方向に回動した場合にはメール機能が起動し、右方向に回動した場合にはブラウザ機能が立ち上がるということである。ここで、回動方向により起動する機能は上記のような単一の機能であってもよいし、同時に複数の機能が起動されてもよい。また複数の機能からボタン入力により所望の機能を起動させるメニュー選択機能が起動されてもよい。
【００１６】
また、図３のような検知部を用いれば、回動の方向のみでなく回動角度まで検知することができる。図３の検知部では回動の軸に固定された電極１０７と、軸と共に回動しない筐体に固定された４つの電極１０８、電極１０９、電極１１０、電極１１１からなり、左方向に回動し回動角度が小さい場合には電極１０７は電極１０８に接触し、さらに回動角度が大きくなった場合に電極１０７が電極１０８と電極１０９に接触し、一方右方向に回動し回動角度が小さい場合には電極１０７は電極１１０に接触し、さらに回動角度が大きくなった場合に電極１０７が電極１１０と電極１１１に接触し、夫々接触した電極に電流が流れる。このように回動角度まで検知することで例えば左方向の回動で回動角度が小さい場合には機能Ａを、左方向の回動で回動角度が大きい場合には機能Ｂを、右方向の回動で回動角度が小さい場合には機能Ｃを、右方向の回動で回動角度が大きい場合には機能Ｄを起動することができる。
【００１７】
また、回動方向を一定期間記憶しておき、複数回の回動方向の組み合わせで、起動する機能を変えることも可能である。これは例えば、左方向に回動して、一定期間内に右方向に回動した場合に、単に左方向または右方向に回動した場合と起動する機能を変えるということである。
【００１８】
また、筐体のいずれかにキー入力部があり、検出した回動方向と回動時のキー入力の組み合わせで起動する機能を変えることも可能である。
【００１９】
尚、回動方向を検知する方法として電極を用いた例を説明したが、磁気等を用いても同様の検知方法を実現可能であり、本特許はこれら方法に限られるものではない。
【００２０】
（実施の形態２）
図４は、本発明の実施の形態２における情報端末装置の概観図である。
【００２１】
図４における情報端末装置は、筐体２０１と筐体２０２の二つからなり、連結部２０３が複数軸構造をなしており、左右に回動に加え開閉動作が可能になっており、回動の方向および開閉の有無を検知する検知部（図示せず）を内蔵している。
【００２２】
回動の方向を検知する検知部は既に説明した通りである。開閉の有無を検知する見地部は例えば図５のように構成することができる。開閉の軸に固定された電極２０４と、軸と共に動かない筐体に固定された電極２０５からなり、閉状態時は電極２０４と電極２０５が接触しておらず、開状態時は電極２０４と電極２０５が接触し電極２０５に電流が流れる。電極２０５に電流が流れているかどうかで開状態か閉状態かを検知することができる。尚閉状態時に電極２０４と電極２０５が接触して電流が流れており、開状態時に電極２０４と電極２０５が接触せず電球が流れないようにしても同様に開状態か閉状態かを検知することができる。
【００２３】
このようにして検知した回動の方向と開閉状態に応じて、例えば左方向に回動し閉状態の場合には情報端末装置のもつ複数機能のうちの機能Ａを、左方向に回動し開状態の場合には機能Ｂを、右方向に回動し閉状態の場合には機能Ｃを、右方向に回動し開状態の場合には機能Ｄを起動する。
【００２４】
（実施の形態３）
図６は、本発明の実施の形態３における情報端末装置の概観図である。
【００２５】
図６における情報端末装置は、筐体３０１と筐体３０２の二つからなり、連結部３０３を介して開閉可能になっており、開閉のためのスイッチ３０４とスイッチ３０５とを有し、いずれのスイッチが押されたかを検知する検知部（図示せず）を有している。ここで、スイッチ３０４、スイッチ３０５の少なくとも一方を押下することで筐体が開閉する仕組みになっているものとする。
【００２６】
検知部でスイッチ３０４とスイッチ３０５のいずれが押されたかを検知して、例えばスイッチ３０４が押された場合は情報端末装置のもつ複数機能のうちの機能Ａを、スイッチ３０５が押された場合には機能Ｂを起動する。ここで、複数の開閉のためのスイッチの押し方の組み合わせ、例えばスイッチ３０４とスイッチ３０５を同時に押した場合に、いずれかのスイッチを押した場合と別の機能Ｃを起動することができる。
【００２７】
ここで、開閉用のスイッチは開閉専用のスイッチであってもよいし、他の機能と兼用されるスイッチであってもよい。
【００２８】
尚、この例では開閉用のスイッチを連結部横に配置した例で説明したが、スイッチの場所は閉状態で操作可能な位置であればどこでもよい。
【００２９】
尚、この例では開閉用のスイッチで説明したが、同様に回動あるいはスライドが可能な構造の情報端末で回動あるいはスライド用スイッチを有する場合にも同様に実現することができる。また実施例１、２のように回動の方向や開閉の状態などと組み合わせて実施することも可能である。
【００３０】
尚上記実施例では、筐体が２つの場合で説明したが、２つ以上の筐体でそれらの結合部が複数あった場合には、結合部夫々の回動方向で起動する機能を変えるだけでなく、複数の結合部の回転動作などの組み合わせにより機能を変えることも可能である。
【００３１】
また、結合動作の左回転時に起動する機能を何にするか、右回転時に起動する機能を何にするかといった設定を記憶する記憶部を有し、使用者の好みに合わせて設定変更可能とすることもできる。
【産業上の利用可能性】
【００３２】
本発明にかかる情報端末装置は、複数の機能を有し、使用時に開閉動作が必要となる情報機器等として有用である。
【図面の簡単な説明】
【００３３】
【図１】本発明の実施の形態１における情報端末装置の概観図
【図２】回動方向を検知可能な検知部例の説明図
【図３】回動角度を検知可能な検知部例の説明図
【図４】本発明の実施の形態２における情報端末装置の概観図
【図５】開閉動作を検知可能な検知部例の説明図
【図６】本発明の実施の形態３における情報端末装置の概観図
【符号の説明】
【００３４】
１０１    筐体１
１０２    筐体２
１０３    連結部
１０４    電極
１０５    電極
１０６    電極
１０７    電極
１０８    電極
１０９    電極
１１０    電極
１１１    電極
２０１    筐体１
２０２    筐体２
２０３    連結部
２０４    電極
２０５    電極
３０１    筐体１
３０２    筐体２
３０３    連結部
３０４    スイッチ
３０５    スイッチ
【図１】
2007274014.tif 000003
【図２】
2007274014.tif 000004
【図３】
2007274014.tif 000005
【図４】
2007274014.tif 000006
【図５】
2007274014.tif 000007
【図６】
2007274014.tif 000008